(57)【要約】【課題】重量の大きい景品を載置した場合でも、遊戯者が押付手段を適切に移動して押付部を押し付けた場合には確実に景品を払い出すことができる、景品展示・払出装置を提供する。【解決手段】景品載置棚板と、前記景品載置棚板に当接して略水平に支持可能に枢結された回転自在の回動手段と、前記回動手段に当接可能に設けられた支持手段とを含む景品展示・払出装置とする。前記支持手段の押付部が押付手段によって押し付けられてわずかでも前記回動手段が回転すると、前記景品載置棚板及びこれに載置された景品の重量によってますます前記回動手段の回転が促進され、確実に景品を払い出せる。【選択図】図１
2006334270.tif 000002
【特許請求の範囲】
【請求項１】
遊戯者が操作可能な押付手段によって押付部を押し付けると、景品載置棚板に載置されている景品が払い出される景品獲得遊戯機の景品展示・払出装置において、
景品載置棚板と、
前記景品載置棚板に当接して略水平に支持可能に枢結された回転自在の回動手段と、
前記回動手段に当接可能に設けられた支持手段と、
を有することを特徴とする景品獲得遊戯機の景品展示・払出装置。
【請求項２】
前記景品載置棚板を回転自在に枢結する棚板枢結部を有している、
ことを特徴とする請求項１記載の景品獲得遊戯機の景品展示・払出装置。
【請求項３】
前記支持手段を回転自在に枢結する支持手段枢結部を有している、
ことを特徴とする請求項１または請求項２記載の景品獲得遊戯機の景品展示・払出装置。
【請求項４】
前記支持手段の前記回動手段との当接部には回転自在のローラーが設けられている、
ことを特徴とする請求項１乃至請求項３記載の景品獲得遊戯機の景品展示・払出装置。
【請求項５】
前記支持手段の前記回動手段との当接部には折り曲げ加工が施されている、
ことを特徴とする請求項１乃至請求項３記載の景品獲得遊戯機の景品展示・払出装置。
【請求項６】
前記回動手段の前記手段支持との当接部には回転自在のローラーが設けられている、
ことを特徴とする請求項１乃至請求項３記載の景品獲得遊戯機の景品展示・払出装置。
【請求項７】
前記回動手段の前記支持手段との当接部には折り曲げ加工が施されている、
ことを特徴とする請求項１乃至請求項３記載の景品獲得遊戯機の景品展示・払出装置。
【請求項８】
前記景品載置棚板に略下方向への引っ張り力を発生させる引っ張り手段が設けられている、
ことを特徴とする請求項１乃至請求項７記載の景品獲得遊戯機の景品展示・払出装置。
【請求項９】
前記引っ張り手段はつるまきバネを含む、
ことを特徴とする請求項８記載の景品獲得遊戯機の景品展示・払出装置。
【請求項１０】
前記引っ張り手段はねじりバネを含む、
ことを特徴とする請求項８記載の景品獲得遊戯機の景品展示・払出装置。
【請求項１１】
前記棚板枢結部の枢結軸と前記支持手段枢結部の枢結軸が略平行に設定されている、
ことを特徴とする請求項３乃至請求項１０記載の景品獲得遊戯機の景品展示・払出装置。
【請求項１２】
前記棚板枢結部の枢結軸と前記支持手段枢結部の枢結軸が略垂直に設定されている、
ことを特徴とする請求項３乃至請求項１０記載の景品獲得遊戯機の景品展示・払出装置。
【請求項１３】
前記景品載置棚板は第１の景品載置棚板と第２の景品載置棚板からなり、
前記回動手段は前記第１の景品載置棚板と前記第２の景品載置棚板の両方を支持可能に設定されている、
ことを特徴とする請求項１２記載の景品獲得遊戯機の景品展示・払出装置。
【請求項１４】
前記景品載置棚板は、棚板支持柱を介して前記回動手段に支持される
ことを特徴とする請求項１乃至請求項１３記載の景品獲得遊戯機の景品展示・払出装置。
【請求項１５】
請求項１乃至請求項１３記載の景品獲得遊戯機の景品展示・払出装置と、
前記景品展示・払出装置の上方に請求項１４記載の景品獲得遊戯機の景品展示・払出装置とを備える
ことを特徴とする、景品獲得遊戯機。
【発明の詳細な説明】
【技術分野】
【０００１】
本発明は、景品獲得遊戯機、特に遊戯者の操作する押付手段によって所定の押付部を押すと、景品を載置している景品載置棚板を支持する棚板支持手段の支持が外れることによって、景品載置棚板上に載置されている景品が落下し、遊戯者に払い出されるタイプの景品獲得遊戯機の景品展示・払出装置に関する。
【背景技術】
【０００２】
景品獲得遊戯機、つまり遊戯者が操作可能な機構によって何らかの目標を達成させ、これに成功すると景品が払い出されるタイプの遊戯機には根強い人気があり、ゲームセンター等の娯楽施設において広く楽しまれている。例えば、遊戯者が操作可能な把持アームによって景品を掴み取り、景品払出口に落下させるいわゆるクレーンゲーム機等は、景品獲得遊戯機の代表的なものの一例である。
【０００３】
景品獲得遊戯機には前記の例に限らず様々なものが製作されているが、本願発明者によってすでに開発され実用に供せられている、以下に説明する景品獲得遊戯機はこれらの中でもかなりの成功を収めてきたものの一つである。
【０００４】
図２は、本願発明者の開発に係る景品獲得遊戯機の従来技術の要部を示す説明図である。
【０００５】
本図は、側面及び上面図であり、上下方向に伸縮可能な押付手段１１が、図示しない水平方向移動手段によって遊戯者の操作により移動され、位置が決定される。遊戯者が押付手段１１に位置を適切に決定できなければ、伸張した押付手段１１は押付部アームカバー板１２に当たってしまい、当該遊戯は失敗となる。
【０００６】
一方、遊戯者が押付手段１１を適切な位置に決定できた場合は、伸長した押付手段１１は押付部穴１３を通過して押付部アーム８の押付部１０を押すこととなり、当該遊戯は成功となる。
【０００７】
つまり、押付部アーム８の押付部１０が押付手段１１によって押されることにより、押付部アーム８が取り付けられた棚板支持手段４は棚板支持手段枢結部６を中心として回転し、棚板支持部５が図の右方向に移動することになる。すると、壁面１４に棚板枢結部２によって枢結され、棚板支持部５で支持されている景品載置棚板１は支持を失い、景品載置棚板１は棚板枢結部２を中心に回転し、景品載置棚板１に載置されている景品３は落下する。以上のように遊戯が成功した際の各部の様子を図３に示す。
【０００８】
落下した景品３は、図示しない景品払出口に入り、景品取出口に至る。遊戯者は、景品取出口より景品を取り出すのである。
【０００９】
以上に記したとおり、遊戯者の操作する押付手段によって景品の載置された景品載置棚板の支持を外し、景品載置棚板上に載置された景品を払い出す遊戯機は従来技術によるものであっても十分に実用に耐えうるものである。
【００１０】
また、本遊戯機では、景品載置棚板上に載置され遊戯者が直接に視認している景品そのものを払い出せることや、遊戯成功時の景品払い出しの過程、つまり押付手段で押付部をうまく押すことができると、シンプルな機械的からくりによって景品載置棚板が動作し景品の払い出しに至るという過程自体が視覚的な面白さを生み出すなど、景品獲得遊戯機として優れた特徴を備えている。
【００１１】
しかしながら、近年景品獲得遊戯機の景品としてぬいぐるみ等の大型の景品が好まれる傾向が強くなっていることにより、景品の重量も大きくなっている。この為、重い景品を景品載置棚板に載置した際に、景品載置棚板１と棚板支持部５の滑りが悪くなり、遊戯者が押付手段１１の位置を適切に決定して押付部１０を押しても棚板支持部５の支持が外れないという事故を生じる懸念が強まっている。
【００１２】
これは、棚板支持部５が景品載置棚板１から完全に外れると棚板支持部５の支持がなくなるのであるが、例えば棚板支持部５に加工時のバリがわずかでも残っていると、そのバリが景品載置棚板１に引っかかるなどして滑りが悪くなり、棚板支持部５が景品載置棚板１がら完全に外れることができず、支持がなくならない場合が想定されるからである。
【００１３】
この為、棚板支持部５の加工は熟練した作業者による仕上げを必要とするという課題があった。具体的には、棚板支持部５の表面をやすり等を用いてバリを除去して平滑な表面に仕上げるなど、熟練を要する作業を行う必要があった。
【００１４】
また、棚板枢結部２によって生じるガタが大きいと、棚板支持部５の動きに合わせて景品載置棚板１が水平方向に移動してしまい、結果として景品載置棚板１の支持が外れないといった事態も招きやすい。この問題は、景品獲得遊戯機製作直後には存在しなくても、長期間にわたって使用された際には磨耗などにより徐々に各部品の遊びが大きくなることによって発生しやすくなる類の問題であり、景品獲得遊技機の動作に長期間にわたる信頼性を保証することは簡単ではない。結果として、遊びが少なく頑丈で高品位な、従って比較的高価な部品を選定使用する必要が生じてしまう。
【００１５】
加えて、景品を上下２段以上に展示する場合、一方の景品載置棚板を他方の景品載置棚板の上方に配置することになる。この場合上方の景品載置棚板について、図４（Ａ）に示す例のように、上方の景品載置棚板１下部に棚板支持柱１５を設けて空間を確保し、この空間に下方の景品載置棚板を配置する方法が考えられるが、本従来技術においては同図（Ｂ）のように、遊戯者が押付手段１１の位置を適切に決定して押付部１０を押し付けても、景品載置棚板１の支持が外れ難いという課題があった。
【００１６】
本課題も、先に述べた棚板枢結部２等のガタが大きい場合に景品載置棚板１の支持が外れ難いという課題と本質的には同じ原因であり、要は、従来技術に係る棚板支持手段が正常に動作するためには、景品載置棚板１や棚板支持柱１５のような被支持体の水平方向の剛性が非常に高くなければならない、ということである。
【発明の開示】
【発明が解決しようとする課題】
【００１７】
本発明は、上記のような課題を解決するためになされたものである。すなわち、熟練していない作業者が製作した場合であっても信頼性の高い動作をする、つまり、重量の大きい景品を載置した場合でも、遊戯者が押付手段の位置を適切に決定して押付部を押し付けた場合には確実に景品を払い出すことができる、景品展示・払出装置を提供することを、解決しようとする課題としている。
【００１８】
また、ガタの大きな部品を使用した場合や長期間の使用で部品の遊びが大きくなった場合でも、前記のごとく確実に景品を払い出すことができる、景品展示・払出装置を提供することも、本発明は解決しようとする課題としている。
【００１９】
さらに、景品獲得遊戯機の景品を上下２段以上に展示する場合等においても、前記同様に確実に景品を払い出すことができる、景品展示・払出装置を提供することをも、本発明は解決しようとする課題としている。
【課題を解決するための手段】
【００２０】
以上のような課題を解決するために本発明の第１の課題解決手段においては、遊戯者が操作可能な押付手段によって押付部を押し付けると、景品載置棚板上に載置されている景品が払い出される景品獲得遊戯機の景品展示・払出装置において、
景品載置棚板と、
前記景品載置棚板に当接して略水平に支持可能に枢結された回転自在の回動手段と、
前記回動手段に当接可能に設けられた支持手段と、
を有することを特徴とする景品獲得遊戯機の景品展示・払出装置としている。
【００２１】
本発明の第２の課題解決手段においては、本発明の第１の課題解決手段において、
前記景品載置棚板を回転自在に枢結する棚板枢結部を有している、
ことを特徴としている。
【００２２】
本発明の第３の課題解決手段においては、本発明の第１または第２の課題解決手段において、
前記支持手段を回転自在に枢結する支持手段枢結部を有している、
ことを特徴としている。
【００２３】
本発明の第４の課題解決手段においては、本発明の第１乃至第３の課題解決手段において、
前記支持手段の前記回動手段との当接部には回転自在のローラーが設けられている、
ことを特徴としている。
【００２４】
本発明の第５の課題解決手段においては、本発明の第１乃至第３の課題解決手段において、
前記支持手段の前記回動手段との当接部には折り曲げ加工が施されている、
ことを特徴としている。
【００２５】
本発明の第６の課題解決手段においては、本発明の第１乃至第３の課題解決手段において、
前記回動手段の前記手段支持との当接部には回転自在のローラーが設けられている、
ことを特徴としている。
【００２６】
本発明の第７の課題解決手段においては、本発明の第１乃至第３の課題解決手段において、
前記回動手段の前記支持手段との当接部には折り曲げ加工が施されている、
ことを特徴としている。
【００２７】
本発明の第８の課題解決手段においては、本発明の第１乃至第７の課題解決手段において、
前記景品載置棚板に略下方向への引っ張り力を発生させる引っ張り手段が設けられている、
ことを特徴としている。
【００２８】
本発明の第９の課題解決手段においては、本発明の第８の課題解決手段において、
前記引っ張り手段はつるまきバネを含む、
ことを特徴としている。
【００２９】
本発明の第１０の課題解決手段においては、本発明の第８の課題解決手段において、
前記引っ張り手段はねじりバネを含む、
ことを特徴としている。
【００３０】
本発明の第１１の課題解決手段においては、本発明の第３乃至第１０の課題解決手段において、
前記棚板枢結部の枢結軸と前記支持手段枢結部の枢結軸が略平行に設定されている、
ことを特徴としている。
【００３１】
本発明の第１２の課題解決手段においては、本発明の第３乃至第１０の課題解決手段において、
前記棚板枢結部の枢結軸と前記支持手段枢結部の枢結軸が略垂直に設定されている、
ことを特徴としている。
【００３２】
本発明の第１３の課題解決手段においては、本発明の第１２の課題解決手段において、前記景品載置棚板は第１の景品載置棚板と第２の景品載置棚板からなり、
前記回動手段は前記第１の景品載置棚板と前記第２の景品載置棚板の両方を支持可能に設定されている、
ことを特徴としている。
【００３３】
本発明の第１４の課題解決手段においては、本発明の第１乃至第１３の課題解決手段において、
前記景品載置棚板は、板支持柱を介して前記回動手段に支持される
ことを特徴としている。
【００３４】
本発明の第１５の課題解決手段においては、
本発明の第１乃至第１３の課題解決手段に係る景品獲得遊戯機の景品展示・払出装置と、
前記景品展示・払出装置の上方に本発明の第１４の課題解決手段に係る景品獲得遊戯機の景品展示・払出装置とを備える
ことを特徴としている。
【発明の効果】
【００３５】
本発明の第１の課題解決手段においては、遊戯者が操作可能な押付手段によって押付部を押し付けると、景品載置棚板に載置されている景品が払い出される景品獲得遊戯機の景品展示・払出装置において、景品載置棚板と、前記景品載置棚板に当接して略水平に支持可能に枢結された回転自在の回動手段と、前記回動手段に当接可能に設けられた支持手段と、を有することを特徴とする景品獲得遊戯機の景品展示・払出装置としたので、景品載置棚板に載置する景品の重量が大きい場合でも、遊戯者が押付手段の位置を適切に決定して押付部を押すと、確実に景品載置棚板の支持が外れ、景品を払い出すことができるという効果を奏する。
【００３６】
つまり、景品載置棚板の自重などにより回動手段には力ｆ１が図１５のように作用しており、この力が回動手段によって支持手段を押す力ｆ２となった状態で安定している。
【００３７】
ここで、支持手段に設けられた押付部が、押付手段によってわずかでも押され、支持手段が回転すると、回動手段が支持手段を押す力ｆ２は、支持手段に沿う向きの力ｆ２１と、これに垂直な向きの力ｆ２２に分離される。
【００３８】
支持手段に垂直な向きの力ｆ２２は、支持手段をさらに回転させようとする。つまり、押付手段によって押付部が押され、わずかでも支持手段が回転すると、景品載置棚板の自重と景品の重さｆ１によって生じる力によってますます支持手段の回転が促進されることとなり、確実に景品載置棚板の支持が外れ、景品が払い出されるに至るのである。
【００３９】
上記の説明で明らかである通り、景品の重量が大きくなると、支持手段の回転を促進する作用もこれに比例して大きくなるので、景品の重量が大きくても景品載置棚板の支持が外れにくくなり難いという、本発明特有の効果が生じるのである。
【００４０】
本発明の第２の課題解決手段においては、本発明の第１の課題解決手段において、前記景品載置棚板を回転自在に枢結する棚板枢結部を有していることを特徴としたので、支持手段に設けられた押付部が遊戯者の操作する押付手段によって押され、景品載置棚板の支持が外れた際に、景品載置棚板が棚板枢結部を中心に回転し、景品載置棚板上に載置されていた景品が落下して払い出される一方、景品載置棚板は棚板枢結部によって景品獲得遊戯機に結合されているので、景品載置棚板自体が落下することは無く、景品獲得遊戯機として好都合である。
【００４１】
つまり、支持が外れた状態の景品載置棚板を棚板枢結部を中心に回転させると、容易に景品載置棚板の景品払出前の状態が回復できる。図１６（Ａ）は、支持の外れた景品載置棚板を回転させつつ持ち上げている様子を示しており、十分に景品載置棚板を持ち上げた後に景品載置棚板を離すと図１６（Ｂ）に示す通り、支持が回復する。払い出された景品の補充を容易にかつ素早く行えることは、娯楽施設等の負担や収益性という観点からは重要なのであるが、前記の通り、簡単に景品載置棚板の支持が回復できるので、本課題解決手段により、この要請に相当程度応えることができる。
【００４２】
なお、ここにいう景品載置棚板を回転自在に枢結する棚板枢結部とは、２つの部材を共通の軸で結合し、これら部材が互いに軸を中心に回転しうる構造のものだけに限定されず、例えば、紐等で２つの部材を緩く結びつけたり、あるいは、板バネやゴムのような弾性材で２つの部材の間を接続したりする構造でもよい。要は、景品載置棚板が実質的に回転動作可能な状態で景品獲得遊戯機に取り付けられれば良いのである。
【００４３】
本発明の第３の課題解決手段においては、本発明の第１または第２の課題解決手段において、前記支持手段を回転自在に枢結する支持手段枢結部を有していることを特徴としたので、遊戯者の操作する押付手段が支持手段に設けられた押付部を押して景品載置棚板の支持が外れ景品が払いだされて遊戯が終了した後に、娯楽施設の店員等が容易に景品載置棚板の支持を回復できるという効果が得られる。
【００４４】
押付手段が支持手段を押すことによって回動手段の支持が外れ、これによって景品載置棚板の支持が失われるという効果を得るには、例えば図１７のような構成とすることも可能であり、必ずしも支持手段枢結部を必要としない。この場合、押付手段に押し付けられた支持手段は棚板支持手段ベースに設けられた窪みに落ち込み、支持手段の支持を失った回動手段が回転することによって景品載置棚板は支持を失って回転し、景品が払い出されることとなる。
【００４５】
しかし、これでは支持手段の回復に手間を要する上、支持手段回復時にはその位置を注意深く調整しなければならない。支持手段の位置の微妙なずれにより、景品載置棚板の支持がちょっとした振動で外れてしまったり、あるいは逆に外れにくくなったりする可能性があるからである。
【００４６】
一方、支持手段枢結部を設けることによって、支持手段の位置は常に一定に保たれ、娯楽施設店員等による容易な景品載置棚板の支持回復が可能になり、かつ、安定した動作が担保される。しかも、図１６に図示したように、自重でまたは図示しないバネの作用により支持手段が自由状態で水平を保つように設計されていれば、景品載置棚板のみを操作することによって景品払出前の状態が回復でき、回動手段の存在を気にする必要すらないのである。
【００４７】
なお、ここにいう支持手段を回転自在に枢結する支持手段枢結部とは、支持手段に１つの軸を通し、これが軸を中心に回転しうる構造のものだけに限定されない。例えば、紐等で支持手段を緩く結びつけたり、あるいは、板バネやゴムのような弾性材で支持手段を接続したりする構造でもよい。要は、支持手段が実質的に回転動作可能な状態で景品獲得遊戯機に取り付けられれば良いのである。
【００４８】
本発明の第４の課題解決手段においては、本発明の第１乃至第３の課題解決手段において、前記支持手段の前記回動手段との当接部には回転自在のローラーが設けられていることを特徴としたので、回動手段と支持手段間の摩擦等が小さくなり、押付手段が押付部を押す力が小さくても確実に景品載置棚板の支持を外し、景品を払い出すことができるという効果を奏する。
【００４９】
例えば、支持手段と回動手段とが当接する部分に部品加工時のバリ等が残留していると、これが回動手段に食い込む等して、回動手段と支持手段が軽く固定された状態（「引っかかった」状態）になることが考えられる。また、バリが無くても、回動手段と支持手段の当接部の表面状態によって摩擦が大きいことも有り得る。このような場合、押付手段で押付部を押しても支持手段が回転せず、結果として景品が払い出されないという事故につながる。
【００５０】
一方、図５に示すように、当接部がローラーになっていれば、支持手段と回動手段間の摩擦は格段に小さくなり、このような事故が防止されるのである。
【００５１】
本発明の第５の課題解決手段においては、本発明の第１乃至第３の課題解決手段において、前記支持手段の前記回動手段との当接部には折り曲げ加工が施されていることを特徴としたので、本発明の第４の課題解決手段と同様の効果を、低いコストで実現できる。
【００５２】
回動手段と支持手段の当接部において、この２つの当接部の滑りを悪くする最大の原因は部品加工時のバリであり、これが無ければ、押付手段の押し付け力をある程度確保すれば、押付部を押付手段で押し付けたにも関わらず景品が払い出されないという事故は、実質的に発生しない。
【００５３】
そこで、押付手段の押し付け力を確保した上で、支持手段先端に図６に示すように曲げ加工を施し、バリが発生する切断面が回動手段に当接しないようにすることで、前記の通りの効果が得られるのである。
【００５４】
また、曲げ加工は一般に安価に実施できる加工法であり、ローラーを回したり、あるいは切断面を研磨して滑らかに仕上げる方法よりも低コストに実施できるという利点が得られる。
【００５５】
本発明の第６の課題解決手段においては、本発明の第１乃至第３の課題解決手段において、前記回動手段の前記支持手段との当接部には回転自在のローラーが設けられていることを特徴としたので、図７に示すとおり、本発明の第４の課題解決手段と同様の効果が得られる。また、同図に示しているように、この際、前記支持手段と前記ローラーとの当接面に折り曲げ加工を施しておくとなお良い。ローラーとの当接面が広くなり、支持状態が安定するからである。
【００５６】
本発明の第７の課題解決手段においては、本発明の第１乃至第３の課題解決手段において、前記回動手段の前記支持手段との当接部には折り曲げ加工が施されていることを特徴としたので、図８に示すとおり、本発明の第５の課題解決手段と同様の効果が得られる。この場合においても、本発明の第６の課題解決手段と同様に、前記支持手段の前記ローラーとの当接面に折り曲げ加工を施しておくと良いことは同様である。
【００５７】
本発明の第８の課題解決手段においては、本発明の第１乃至第７の課題解決手段において、前記景品載置棚板に略下方向への引っ張り力を発生させる引っ張り手段が設けられていることを特徴としたので、景品載置棚板の支持が外れて景品が落下し、払い出される際に、非常に短時間の間に景品載置棚板を棚板枢結部を中心に回転させ、景品を略鉛直方向に落下させることができるという効果を奏する。
【００５８】
引っ張り手段を設けない場合であっても、景品載置棚板の支持が外れると、景品の重量や景品載置棚板自体の重量によって景品載置棚板が棚板枢結部を中心に回転し、景品を落下させ、払い出すことはできる。しかし、この時、景品は景品載置棚板と共に棚板枢結部を中心に回転しつつ落下することになる。そうすると、高さのある景品の場合、景品が前傾姿勢になる等して景品獲得遊戯機内で引っかかりを生じ、景品載置棚板の支持が外れたにもかかわらず景品が払い出されないという事故が懸念される。
【００５９】
そこで、景品載置棚板に略下方向への引っ張り力を発生させる引張り手段を設けておけば、景品載置棚板には重力に加えて略下方向への引っ張り力が作用しているのであるから、支持が外れた際には景品の落下よりも速やかに景品載置棚板の回転が完了することになり、景品はほとんど展示されていたときの姿勢を保ったまま落下することになって、景品払い出しの信頼性が高まるのである。本課題解決手段は、小型または箱状の景品の場合は必ずしも必要ではないが、高さのある景品や突出部を有する景品で、比較的堅固にその形状を保つものの場合には極めて有効である。
【００６０】
本発明の第９の課題解決手段においては、本発明の第８の課題解決手段において、前記引っ張り手段はつるまきバネを含むことを特徴としたので、図１２に示すとおり、簡単な構造で本発明の第８の課題解決手段が実現される。また、つるまきバネは強い引っ張り力を有し、かつ、大きな伸縮範囲が得られるものが安価に入手できるので、製造コストも比較的小さく済む。
【００６１】
本発明の第１０の課題解決手段においては、本発明の第８の課題解決手段において、前記引っ張り手段はねじりバネを含むことを特徴としたので、簡単な構造で本発明の第８の課題解決手段が実現される。また、ねじりバネを用いれば、図１３に示すとおり、棚板枢結部付近の小さな領域に本発明の第８の課題解決手段が実現できるので、特に景品載置棚板の下部が遊戯者により視認できる場合には、外観上非常に優れたものとなる。
【００６２】
本発明の第１１の課題解決手段においては、本発明の第３乃至第１０の課題解決手段において、前記棚板枢結部の枢結軸と前記支持手段枢結部の枢結軸が略平行に設定されていることを特徴としたので、景品載置棚板の辺上の中央部付近を回動手段で支持することが容易であり、機械構造上の強度が確保されるという効果が得られるほか、景品載置棚板に対して支持手段側に遊戯者が立つ構成とすれば、遊戯者が支持手段の押付部を視認しやすくなるという効果もある。
【００６３】
すなわち、遊戯者は景品載置棚板上に載置される景品を視認することで遊戯意欲をかきたてられるのであるが、実際の遊戯時には、押付手段を押付部に誘導すべく操作を行うため、押付部の視認性が悪いと遊戯性が低下してしまう。視認性を悪化させる要因にはさまざまなものが想定されるが、景品獲得遊戯機の設計時にそのもたらす影響が最も予想しにくい要因は、景品である。景品には種々様々なものが提供され、その形も多様であって想定し難いからである。そこで、図１０（Ａ）のような構成とし、遊戯者が図の下方向に立って遊戯を行うことで、遊戯者から見て奥側に景品が展示されると同時に押付部を遊戯者に近くし視認性を最大限に確保する構成とすれば、前記課題が解決することになる。
【００６４】
本発明の第１２の課題解決手段においては、本発明の第３乃至第１０の課題解決手段において、前記棚板枢結部の枢結軸と前記支持手段枢結部の枢結軸が略垂直に設定されていることを特徴としたので、景品獲得遊戯機の端部に棚板枢結部を設けた場合にも、図１０（Ｂ）に示すように、本発明の第１１の課題解決手段と同様の効果が得られる。
【００６５】
加えて、景品載置棚板が押付手段の遊戯開始時の位置に近い場合にも、遊戯者が押付手段を操作する余地を作り、遊戯性を確保できるという効果を奏する。以下、本効果について補足説明を行う。
【００６６】
例えば、遊戯開始時に押付手段が図１０に示すように遊戯者から見て左手前に位置しているとすると、押付部穴の位置に押付手段を移動するために必要な遊戯者の操作は、押付手段を極めて短時間右方向へ移動した後極めて短時間奥方向（図の上方向）へ移動するという操作となる。この場合、操作時間があまりに短くなるため、遊戯者が遊戯の面白さを感じることは困難である。
【００６７】
ここで、本課題解決手段に基づき、図１１（Ａ）のように景品展示・払出装置を構成すれば、押付部穴と遊戯開始時の押付手段の位置との間の距離が確保され、遊戯者が押付手段を操作する余地が生まれる。つまり、遊戯の面白さを演出することができるのである。
【００６８】
例えば、図１０（Ａ）の場合、遊戯開始時には遊戯者から見て手前左側に押付手段が位置している。ここで、左手前すなわち押付手段の初期位置にあまりに近い位置に押付部があると、押付手段の位置を調整する余地がほとんど無いことになり、遊戯時の満足感が得られにくい。
【００６９】
そこで、図１０（Ｂ）のようにすれば、押付部を右奥側にすることができ、遊戯者が押付手段の位置を調整する余地が確保され、ゲーム機の遊戯性が確保される。
【００７０】
本発明の第１３の課題解決手段においては、本発明の第１２の課題解決手段において、前記景品載置棚板は、第１の景品載置棚板と第２の景品載置棚板からなり、前記回動手段は前記第１の景品載置棚板と前記第２の景品載置棚板の両方を支持可能に設定されていることを特徴としたので、景品載置棚板の支持が外れた際には、景品載置棚板に載置された景品を略鉛直方向に落下させることができる。
【００７１】
本課題解決手段の効果について、図１４を用いて補足する。同図において、景品載置棚板の支持が外れた際には、第１の景品載置棚板は図の下部が沈むように回転し、第２の景品載置棚板は図の上部が沈むように回転する。したがって、第１の景品載置棚板及び第２の景品載置棚板にまたがるように載置された景品は、景品載置棚板の回転方向に関わらず、ほとんど回転せずに略鉛直方向に落下することになる。これにより、本発明の第８の課題解決手段と同様の効果を奏するのである。
【００７２】
本発明の第１４の課題解決手段においては、本発明の第１乃至第１３の課題解決手段において、前記景品載置棚板は、景品載置棚板支持柱を介して前記回動手段に支持されることを特徴としたので、景品載置棚板を回動手段から離れて上方に設けることができるという効果を奏する。
【００７３】
つまり、図９のように、回動手段によって景品載置棚板支持柱を支持し、景品載置棚板支持柱によって景品載置棚板を支持しているので、景品載置棚板支持棒の長さの分だけ、回動手段よりも景品載置棚板を高い位置に設けることができる。
【００７４】
押付部が設けられる支持手段は、身長の低い遊戯者にも押付部が良好に視認できるように、比較的低い位置に設けざるを得ない。また、景品獲得遊戯機上部に設けられた水平方向に移動可能な押付手段が伸長することによって押付部を押すのであるから、遊戯者の身長を考慮しないとしても、支持手段を設ける高さには限界がある。
【００７５】
一方、景品展示棚板は、この上に載置する景品により多くの注目を集め、遊戯者の遊戯意欲を駆り立てる為に、景品獲得遊戯機から離れた場所からでも目立つ高い位置にも設けられることが望ましいのである。
【００７６】
そこで、本課題解決手段により、以上の課題を解決することができるのである。
【００７７】
本発明の第１５の課題解決手段においては、本発明の第１乃至第１３の課題解決手段に係る景品獲得遊戯機の景品展示・払出装置と、前記景品展示・払出装置の上方に本発明の第１４の課題解決手段に係る景品獲得遊戯機の景品展示・払出装置とを備えることを特徴としたので、景品獲得遊戯機内の限られた空間に多くの景品を載置することが可能になり、景品の補充頻度が減らせることにより娯楽施設等の負担が小さくできるほか、外観的に、遊戯者の注目を得る効果も格段に向上する。
【００７８】
また、２段に景品が載置されているという複雑な景品獲得遊戯機でありながら、その動作は視覚に訴えるシンプルな機構で実現されているというアナログ的な面白さにより、遊戯者の関心を大いに得ることができるのである。
【００７９】
なおこの場合、下段の景品載置棚板上に載置された景品が払い出されていない状態で上段の景品載置棚板の支持が外れ、景品が落下した場合、この景品は落下しても下段の景品載置棚板の上に落下するにすぎず、払い出されないことになってしまう。
【００８０】
このような不都合を回避する為、下段の景品載置棚板上に載置された景品が払い出されない限り上段の景品載置棚板上に載置された景品が落下しない為の工夫が必要である。
【００８１】
一例として、上段の景品載置棚板に対応する押付部穴を、下段の景品載置棚板に載置された景品が払い出されるまでは板状部材で覆うことにより、遊戯者の操作する押付手段で押付部を押すことができないようにすれば良い。これらの機能は、電子制御回路を使用して実現しても、純粋な機械的手段によって実現しても、またそれらの組み合わせであってもかまわない。
【発明を実施するための最良の形態】
【００８２】
以下、本発明を含む景品獲得遊戯機の一実施例を示す説明図である図１９を参照しつつ本発明の実施例を説明する。図中に含まれる本発明の実施例の説明を行う前に、まず景品獲得遊戯機全体の説明を行う。
【００８３】
図１９は景品獲得遊戯機の一実施例を示す説明図であるが、景品獲得遊戯機中における本発明の実施例を明確にするため、本発明と技術的な関係の少ない構成部材については表示を省略している。また、いくつかの構成部材については背面の構成部材が隠れることを避けるために透明な材質であるかのように表示するとともに鎖線での表示としている。また、本来外部から視認し得ない部分を点線で表示した部分がある。
【００８４】
さて、景品獲得遊戯機には操作卓２３が設けられており、遊戯者は操作卓が備える押しボタンを押下するなどして押付手段１１を操作する。典型的には、遊戯開始時には遊戯者から見て左手前に位置する押付手段１１を、２つの押しボタンの一方を押すと右方向に移動することができ、もう一方を押すと奥方向に移動することができるように設定される。これらボタンを押し、タイミングよく離すことによって目的の位置に押付手段１１を移動することができるのである。
【００８５】
押付手段１１は景品獲得遊戯機天井部に備えられる図示しないボールネジやベルトによって２軸移動手段によって駆動され、水平方向、つまり遊戯者から見て左右方向及び奥手前方向に移動可能である。さらに押付手段１１は上下方向に伸縮可能であり、遊戯者の操作によって縮んだ状態で移動し、水平方向の位置が決定されると、その位置において下方向に伸びていく。押付手段１１先端が押付部アームカバー板１２に衝突すると遊戯は失敗であり、押付手段は左手前の位置に復帰する。一方、押付手段１１が押付部穴１３ａ〜１３ｃのいずれかを通過すると遊戯成功であり、これについては後述する。なお、押付手段１１の上下方向の伸縮は、既存のいわゆるクレーンゲーム機等に採用されているクレーン機構と同様のものを使用可能であり、ここでは詳細な説明は割愛する。
【００８６】
景品獲得遊戯機は透明カバー２６で周囲を囲まれており、これは透明素材で製作されているため遊戯者から内部の様子が視認可能となっている。遊戯者は、透明カバー２６を通して視認される押付部穴１３ａ〜１３ｃを押付手段１１が通過するように操作を行うのである。
【００８７】
また、必須ではないが、押付部アームカバー板１２も透明素材で製作することが好ましい。本発明に係る景品展示・払出装置の機構が遊戯者から直接視認されることとなり、機械的なからくりによって景品が払い出されるという本発明の面白さを訴えることができるからである。また、遊戯に成功した場合、つまり、押付手段１１が押付部穴１３ａ〜１３ｃのいずれかを通過してから景品が払い出されるまでの過程がすべて視認可能な機械的なからくりで行われ、視認不可能な電子的処理が介在しないことを直接示すことができることは、遊戯者の景品獲得遊戯機に対する不信感を払拭できる点でも価値がある。
【００８８】
さて、遊戯に成功し、景品が落下すると、該景品は景品払出口２４を経て景品取出口２５に現れる。遊戯者は、景品取出口２５に現れた景品を取り出すのである。以下、本発明に係る景品展示・払出装置の実施例について説明を行う。
【実施例１】
【００８９】
図１９中の景品載置棚板Ａ１ｃ、棚板枢決部Ａ２ａ、回動手段Ａ１６ａ、支持手段Ａ１８ａからなる景品展示・払出装置は、本発明の第１１の課題解決手段に係る発明の１実施例である。壁面１４に棚板枢結部Ａ２ａを介して景品載置棚板Ａ１ｃが回転可能に取り付けられているので、景品載置棚板Ａ１ｃは回動手段Ａ１６ａに支持されていれば略水平状態を保ち、上面にぬいぐるみ他の景品を載置することができる。回動手段Ａ１６ａの支持がなくなると、景品載置棚板Ａ１ｃは壁面１４に沿う状態で棚板枢結部２ａから吊り下げられる形になるため、上面に載置されていた景品は落下し、景品払出口２４に入る。その後、景品は景品取出口２５から遊戯者に取り出されるのである。
【００９０】
回動手段Ａ１６ａは回動手段枢結部（図が見づらくなるため符号表示はしていない）で回転可能に枢結されており、支持手段Ａ１８ａの支持がなくなれば景品載置棚板Ａ１ｃ等の重量によって回転し、景品が払い出されることになる。支持手段Ａ１８ａは、支持手段枢結部（図が見づらくなるため符号表示はしていない）で回転可能に枢結されており、回動手段を支持した状態で安定する。
【００９１】
ここで、押付部（図が見づらくなるため符号表示はしていない）が遊戯者の操作する押付手段１１によって押し付けられてわずかでも支持手段Ａ１８ａが回転すると、景品載置棚板Ａ１ｃ等の重量が回動手段Ａ１６ａによって伝達され、支持手段Ａ１８ａ等の回転をますます促進し、確実に景品の払い出しが行われる。
【００９２】
なお、娯楽施設の従業員等が払い出された景品を補充する際には景品載置棚板Ａ１ｃの支持を回復しなければならないが、これには景品載置棚板Ａ１ｃを単に上方向に持ち上げるという、きわめて簡単な手順だけで済むことはすでに図１６を引用して説明したとおりである。
【００９３】
また、図１９には表示していないものの、回動手段Ａ１６ａと支持手段Ａ１８ａの当接部の滑りが、これら部材の加工状態によって劣化することを防止するための工夫を施すことが望ましい。これは、例えば図５乃至図８に例示するように、当接部の一方または両方に折り曲げ加工を施したり、あるいはローラー２０を設けたりすることによって実現できる。
【００９４】
さらに、景品払い出し時に景品載置棚板Ａ１ｃが瞬間的に回転を完了し、載置されている景品の姿勢が前傾することなく落下し、確実な払い出しが行われるようにするため、景品載置棚板Ａ１ｃに図１２及び図１３に示すような引っ張り手段を設けることもできる。つまり、景品載置棚板Ａ１ｃにつるまきバネやねじりバネによって下方向の引っ張り力を作用させておくことで、重力加速度以上の加速で景品載置棚板Ａ１ｃが回転するようにし、景品の載置面が瞬間的に無くなるようにすることで景品の姿勢の乱れを防止できるのである。
【００９５】
また、図１９の表示とは異なるが、景品載置棚板Ａ１ｃを図１４のような構造とすることも有効である。図１９では、景品載置棚板Ａ１ｃの近くに棚板支持柱１５が設けられており、景品載置棚板Ａ１ｃに載置されている景品が払い出されるときにその姿勢が乱れると、該景品が棚板支持柱１５に衝突するなどして、景品載置棚板Ｂ１ｄの支持が不安定になってしまうような事態が考えられる。前記のように、景品載置棚板Ａ１ｃを瞬間的に駆動することで景品払い出し時の姿勢乱れを防止することも可能であるが、図１４のような構造により、景品が確実に真下方向に落下することも有効な施策である。
【実施例２】
【００９６】
図１９中の景品載置棚板Ｂ１ｄ、棚板枢決部Ｂ２ｂ、棚板支持柱１５、回動手段Ｂ１６ｂ、支持手段Ｂ１８ｂからなる景品展示・払出装置は、本発明の第１４の課題解決手段に係る発明の１実施例である。
【００９７】
この実施例は棚板支持柱１５を除けば実施例１と同様の構成要素から成っており、それぞれの作用効果も同一であるので、棚板支持柱１５についてのみ説明を加える。
【００９８】
棚板支持柱１５は、その上端部で景品載置棚板Ｂ１ｄと回転自在に枢結され、その下端部は回動手段Ｂ１６ｂによって支持されている。つまり、回動手段Ｂ１６ｂの支持を上方に離れた位置に設けられている景品載置棚板Ｂ１ｄに伝える働きをしているのである。
【００９９】
押付手段１１によって支持手段Ｂ１８ｂの押付部を押し付けるという内容の景品獲得遊戯機である以上、支持手段Ｂ１８ｂを高い位置に設けることは困難である。なぜなら、支持手段Ｂ１８ｂが高い位置に設けられると、押付手段１１が遊戯者の操作で移動する際に支持手段Ｂ１８ｂと干渉してしまうという問題が発生しかねないからである。
【０１００】
そこで、支持手段Ｂ１８ｂは他の支持手段と同じく低い位置に設けつつも、高い位置に設けられた景品載置棚板Ｂ１８ｄに載置された景品の払い出しを可能にする棚板支持柱１５を使用すると良いのである。また、高い位置の景品載置棚板Ｂ１８ｄの景品の払い出しを純粋に機械的なからくりで行っていることによる視覚的な面白さも、景品獲得遊戯機に遊戯者の注目を集める効果が期待できるものである。
【０１０１】
また、本実施例とすでに説明した実施例１は、図１９に示す景品獲得遊戯機において、本発明の第１５の課題解決手段に係る発明の１実施例を構成している。ただし、この場合は景品載置棚板Ａ１ｃに載置された景品が払い出されるよりも前に景品載置棚板Ｂ１ｄが払い出されると、払い出されるべき景品が景品載置棚板Ａ１ｃの上に落下してしまう為、景品載置棚板Ａ１ｃに載置された景品が払い出されない限り、景品載置棚板Ｂ１ｄに載置された景品が払い出されないように工夫することが好ましい。具体的には、別途手段を設けて、景品載置棚板Ａ１ｃに載置された景品が払い出されるまで、景品載置棚板Ｂ１ｄに対応する押付部穴１３ｂがふさがれるようにすることができる。
【実施例３】
【０１０２】
図１９中の景品載置棚板Ｃ１ｅ、棚板枢決部Ｃ２ｃ、回動手段Ｃ１６ｃ、支持手段Ｃ１８ｃからなる景品展示・払出装置は、本発明の第１２の課題解決手段に係る発明の１実施例である。
【０１０３】
この実施例は棚板枢結部Ｃ２ｃの取り付け方向及び回動手段Ｃ１６ｃの形状を除けば実施例１と同様の構成要素から成っており、それぞれの作用効果も同一であるので、棚板枢結部Ｃ２ｃ及び回動手段Ｃ１６ｃについてのみ説明を加える。
【０１０４】
本景品獲得遊戯機では遊戯開始時には押付手段１１は遊戯者から見て左手前方向にあり、これを操作卓２３に設けられた押しボタンによって操作し、各景品載置棚板に対応する押付部を押し付けることを目指す。そうすると、景品獲得遊戯機内でもっとも左側に設けられた景品載置棚板Ｃ１ｅに対応する押付部１８ｃはどうしても左側に位置するため、遊戯者が押付手段１１を操作可能な余地は少なく、従って遊戯性が低下してしまう。
【０１０５】
そこで、本実施例のように棚板枢結部Ｃ２ｃと回動手段Ｃ１６ｃの枢結軸を略直角方向とし、また回動手段Ｃ１６ｃに図に示すとおり爪状構造を設けて、支持手段１８ｃができるだけ景品獲得遊戯機の左端より離れた位置になるようにし、遊戯性の低下を防止するのである。
【産業上の利用可能性】
【０１０６】
以上のように、本発明は景品展示・払出装置によって、遊戯者が操作可能な押付手段によって押付部を押し付けると景品載置棚板に載置されている景品が払い出される景品獲得遊戯機において、景品載置棚板に載置する景品の重量が大きい場合でも確実に景品を払い出すことを可能とし、またその遊戯性の向上をも図ることができる価値の高い発明である。
【図面の簡単な説明】
【０１０７】
【図１】本発明の要部を側面方向及び上面方向から示した説明図である。
【図２】本発明に係る従来技術を側面方向及び上面方向から示した説明図である。
【図３】本発明に係る従来技術の動作状態を側面方向及び上面方向から示した説明図である。
【図４】本発明に係る従来技術の課題の例を示した説明図である。
【図５】本発明の実施方法を示した説明図である。
【図６】本発明の実施方法を示した説明図である。
【図７】本発明の実施方法を示した説明図である。
【図８】本発明の実施方法を示した説明図である。
【図９】本発明の要部を側面方向及び上面方向から示した説明図である。
【図１０】本発明の要部を示した説明図である。
【図１１】本発明の動作状態を示した説明図である。
【図１２】本発明の実施方法を示した説明図である。
【図１３】本発明の実施方法を示した説明図である。
【図１４】本発明の実施方法を示した説明図である。
【図１５】本発明の動作原理を示した説明図である。
【図１６】本発明の動作状態を示した説明図である。
【図１７】本発明の実施方法を示した説明図である。
【図１８】本発明の要部を側面方向及び上面方向から示した説明図である。
【図１９】本発明を用いた景品獲得遊戯機を示した説明図である。
【符号の説明】
【０１０８】
１              景品載置棚板
１ａ            第１の景品載置棚板
１ｂ            第２の景品載置棚板
１ｃ            景品載置棚板Ａ
１ｄ            景品載置棚板Ｂ
１ｅ            景品載置棚板Ｃ
２              棚板枢結部
２ａ            棚板枢結部Ａ
２ｂ            棚板枢結部Ｂ
２ｃ            棚板枢結部Ｃ
３              景品
４              棚板支持手段
５              棚板支持部
６              棚板支持手段枢結部
７              棚板支持手段ベース
８              押付部アーム
９              押付部アームバネ
１０            押付部
１１            押付手段
１２            押付部アームカバー板
１３            押付部穴
１３ａ          押付部穴Ａ
１３ｂ          押付部穴Ｂ
１３ｃ          押付部穴Ｃ
１４            壁面
１５            棚板支持柱
１６            回動手段
１６ａ          回動手段Ａ
１６ｂ          回動手段Ｂ
１６ｃ          回動手段Ｃ
１７            回動手段枢結部
１８            支持手段
１８ａ          支持手段Ａ
１８ｂ          支持手段Ｂ
１８ｃ          支持手段Ｃ
１９            指示手段枢結部
２０            ローラー
２１            つるまきバネ
２２            ねじりバネ
２３            操作卓
２４            景品払出口
２５            景品取出口
２６            透明カバー
【図１】
2006334270.tif 000003
【図２】
2006334270.tif 000004
【図３】
2006334270.tif 000005
【図４】
2006334270.tif 000006
【図５】
2006334270.tif 000007
【図６】
2006334270.tif 000008
【図７】
2006334270.tif 000009
【図８】
2006334270.tif 000010
【図９】
2006334270.tif 000011
【図１０】
2006334270.tif 000012
【図１１】
2006334270.tif 000013
【図１２】
2006334270.tif 000014
【図１３】
2006334270.tif 000015
【図１４】
2006334270.tif 000016
【図１５】
2006334270.tif 000017
【図１６】
2006334270.tif 000018
【図１７】
2006334270.tif 000019
【図１８】
2006334270.tif 000020
【図１９】
2006334270.tif 000021